(57)【要約】 【課題】  強度を担保した上で断熱性能を向上させた仕切枠を提供する。【解決手段】  前面枠３１は磁性金属板製で後方に開口したコ字形断面に形成され、側面板３３の奥行寸法は短い。カバー４０は合成樹脂製で前方に開口したコ字形断面に形成され、その内部では、左右の側面板４２の間に横壁４４がわたされて前後２領域に分けられる。カバー４０の後面板４１と横壁４４との間には、４枚の傾斜壁５１がわたって形成され、これにより奥側の領域には、５個の空気室５３が左右対称に形成される。横壁４４の前側の領域には、前面枠３１が嵌められ、前面枠３１内には断熱材６０が嵌着される。前面枠３１の側面板３３が、カバー４０内の奥まで延びていないから、庫内の冷熱が側面板３３を介して前面板３２に伝わることが抑えられる。カバー４０内の奥側では、複数の空気室５３を形成するべく壁４４，５１が形成されているから、剛性が高められる。【選択図】  図４
2005233504.tif 000002
【特許請求の範囲】
【請求項１】
金属製の前面枠の後面側に合成樹脂製のカバーが被せられ、その間に断熱材が配された仕切枠であって、
前記カバーはほぼコ字形断面で前方に開口した形状であって、その内部の奥側の領域には仕切壁で仕切られることにより複数の空気室が形成される一方、
前記前面枠はほぼコ字形断面で後方に開口し、かつ前記カバーよりも奥行寸法が短い形状に形成され、
この前面枠が、前記カバー内における前記空気室よりも前の領域に嵌着され、前記前面枠と前記空気室との間に前記断熱材が配されていることを特徴とする貯蔵庫の仕切枠。
【請求項２】
前記カバーの後面板の表面には棚柱が当てられ、前記後面板の裏面に配された裏板との間で締結具で締結することにより固定されるものであって、
前記空気室が、前記裏板を前記後面板の裏面に沿った所定位置に挿入案内するべく前記裏板とほぼ同一幅に形成されていることを特徴とする請求項１記載の貯蔵庫の仕切枠。
【請求項３】
前記空気室を形成する前記仕切壁における前記断熱材と対向した面には、電線を挿通可能とした凹溝が長さ方向に沿って形成されていることを特徴とする請求項１または請求項２記載の貯蔵庫の仕切枠。
【発明の詳細な説明】
【技術分野】
【０００１】
本発明は、冷却貯蔵庫等の貯蔵庫の出入口を仕切る仕切枠の構造に関する。
【背景技術】
【０００２】
例えば４ドアタイプの冷蔵庫では、前面開口の断熱箱体により内部が貯蔵室とされる冷蔵庫本体が構成され、その前面開口に、十字形をなす断熱性の仕切枠が嵌められることにより、縦横４個の出入口が形成される。  
従来この種の仕切枠の一例として、図８に示すものが知られている。これは、コ字形断面で後方に開口した磁性金属板製の前面枠１と、コ字形断面で前方に開口し前面枠１よりも一回り大きい合成樹脂製のカバー２と、発泡樹脂等によって予め角柱状に形成された断熱材３とを備えており、前面枠１内に断熱材３が嵌められたのち、前面枠１の両側面から後面を覆うようにカバー２が被せられた構造である。
【０００３】
前面枠１が磁性金属板製であるのは、出入口を開閉する扉に装着されたマグネットパッキンを吸着させ、また仕切枠の剛性を確保するためであり、合成樹脂製のカバー２を被せているのは、仕切枠の両側面において庫内外の熱伝導を抑える、すなわち断熱を図るためである。  
なお、仕切枠（カバー２）の後面板２Ａの表面（庫内に対向した面）に棚柱４が取り付けられる場合は、後面板２Ａの裏側に配された金属板製の裏板５にねじ６で止められて固定されるようになっている。  
この種の仕切枠は、例えば特許文献１に記載されている。
【特許文献１】特開平８−３５７６４号公報
【発明の開示】
【発明が解決しようとする課題】
【０００４】
ところで上記従来の仕切枠では、金属板製の前面枠１の側面板１Ａが、庫内側である奥側一杯に延び、しかも庫内冷気に晒されて冷却されやすいカバー２の後面板２Ａに当たった構造であるため、側面板１Ａを介して冷熱が前面枠１の前面板１Ｂまで伝わる等、庫内外間での断熱性が損なわれるおそれがあった。側面板１Ａでの熱伝導を極力抑えるために、側面板１Ａに多数の孔を開けたものも提案されているが、熱伝導を抑えることには然したる実効がなく、むしろ前面枠１の剛性が低下し、ひいては仕切枠の強度低下を招くという問題があった。  
本発明は上記のような事情に基づいて完成されたものであって、その目的は、強度を担保した上で断熱性能を向上させた仕切枠を提供するところにある。
【課題を解決するための手段】
【０００５】
上記の目的を達成するための手段として、請求項１の発明は、金属製の前面枠の後面側に合成樹脂製のカバーが被せられ、その間に断熱材が配された仕切枠であって、前記カバーはほぼコ字形断面で前方に開口した形状であって、その内部の奥側の領域には仕切壁で仕切られることにより複数の空気室が形成される一方、前記前面枠はほぼコ字形断面で後方に開口し、かつ前記カバーよりも奥行寸法が短い形状に形成され、この前面枠が、前記カバー内における前記空気室よりも前の領域に嵌着され、前記前面枠と前記空気室との間に前記断熱材が配されている構成としたところに特徴を有する。
【０００６】
請求項２の発明は、請求項１に記載のものにおいて、前記カバーの後面板の表面には棚柱が当てられ、前記後面板の裏面に配された裏板との間で締結具で締結することにより固定されるものであって、前記空気室が、前記裏板を前記後面板の裏面に沿った所定位置に挿入案内するべく前記裏板とほぼ同一幅に形成されているところに特徴を有する。  
請求項３の発明は、請求項１または請求項２に記載のものにおいて、前記空気室を形成する前記仕切壁における前記断熱材と対向した面には、電線を挿通可能とした凹溝が長さ方向に沿って形成されているところに特徴を有する。
【発明の効果】
【０００７】
＜請求項１の発明＞
カバー内の奥側の領域に形成された空気室が断熱室として機能し、その前方に配された断熱材と合わせて、仕切枠の前後面間の断熱性は確保される。また、前面枠の側面板は、カバー内において奥行方向の途中位置までしか延びておらず、すなわち庫内から離間しているから、前面枠の側面板を介した庫内外の熱伝導が小さく抑えられる。その結果、庫内外間の断熱効果が高められる。前面枠の側面板が短くなったことで前面枠の剛性は低下するが、カバー内には、複数の空気室を形成するべく複数の仕切壁が形成されているから、カバー側の剛性が高められ、仕切枠全体としての強度は確保できる。
【０００８】
＜請求項２の発明＞
カバーの後面板に棚柱を取り付けるに当たって、後面板の裏側に裏板を配する場合、裏板を空気室に合わせて挿入することで所定位置に案内される。空気室に対して裏板を挿入案内する機能を兼備させたから、棚柱の取付部分の構造が簡素化される。  
＜請求項３の発明＞
例えば前面枠の裏面に結露防止用のヒータが装着される場合、そのリード線が凹溝に通される。リード線等の電線を仕切枠内から外部へと無理なく引き出すことができる。
【発明を実施するための最良の形態】
【０００９】
＜実施形態＞
以下、本発明の一実施形態を図１ないし図５に基づいて説明する。  
この実施形態では横型冷蔵庫を例示している。図１及び図２において、符号１０は冷蔵庫の本体であって、前面に開口した横長の断熱箱体によって構成され、内部が冷蔵室１１とされており、底面の四隅に配された脚１２によって支持されている。  
冷蔵室１１の前面開口１３における間口方向の中央部には、詳しくは後記するように、縦向きの仕切枠３０が嵌着され、左右２個の出入口１４が形成されている。両出入口１４には、一対の断熱扉１５が、観音開き式の揺動開閉可能に装着されている。各断熱扉１５の裏面側の周縁には、マグネット１７が埋設されたパッキン１６が嵌着され（図４参照）、閉扉時には、パッキン１６が出入口１４の表面側の周縁に吸着されてシールされるようになっている。
【００１０】
本体１０の正面から見た左側部には、機械室２０が設けられている。機械室２０内の上部には、冷蔵室１１と連通した断熱性の冷却器室２１が張り出し形成されて、冷却器２２並びに庫内ファン２３が収容され、一方、機械室２０内の下部側のスペースには冷凍装置２４が収容されて、上記の冷却器２２と冷媒配管により循環接続されている。  
冷却運転に伴い、冷凍装置２４並びに庫内ファン２３が駆動されると、図１の矢線に示すように、冷蔵室１１内の空気が冷却器２２の下部側に設けられた取入口２５から吸引され、冷却器２２を流通して冷気に変換されたのち、庫内ファン２３から冷蔵室１１の天井面側に吹き出されるように循環供給され、冷蔵室１１内が冷却される。そして、断熱扉１５が開閉されつつ、冷蔵室１１内に貯蔵物が出し入れされて収納されるようになっている。
【００１１】
続いて、仕切枠３０の構造を詳細に説明する。  
仕切枠３０は、図３及び図４に示すように、前面枠３１とカバー４０と断熱材６０とを備えている。  
前面枠３１は、ステンレス鋼板等の磁性金属板をプレス成形して形成されており、所定幅の前面板３２の左右両側縁から側面板３３が後方に直角曲げされ、もって後方に開口したコ字形断面に形成されている。ここで特筆すべきは、前面枠３１の側面板３３の奥行寸法が、仕切枠３０全体の半分弱に留め置かれていることである。
【００１２】
両側面板３３には、それぞれ上下２箇所ずつにおいて、係止突起３４が叩き出しにより形成され、手前側の面が切り立った係止面３４Ａに、奥側の面が斜めのガイド面３４Ｂとなっている。  
また前面板３２の上下両端はそれぞれ延出され、図５にも示すように、側面板３３の上端または下端位置よりも少し上または下の位置から裏側に折り重ねられたのち、側面板３３の上端または下端位置で後方に直角曲げされることで、上下の取付板３５が形成されている。両取付板３５の両端に直角曲げされた重ね部３５Ａが、側面板３３の上端部または下端部にスポット溶接により固定されている。取付板３５には、両端部にねじ３６の挿通孔３７が開口されているとともに、後縁の中央部に逃がし凹部３８が形成されている。
【００１３】
カバー４０は、合成樹脂材の押出成形によって形成されており、全体としては、後面板４１の左右両側縁から側面板４２が前方に向けて直角に形成され、前方に開口したコ字形断面に形成されている。ここで、カバー４０の後面板４１の幅は、前面枠３１の前面板３２のそれよりも若干大きく、また、カバー４０の側面板４２の奥行寸法は、前面枠３１の側面板３３のそれの２倍強の寸法である。
【００１４】
カバー４０の内部では、左右の側面板４２の間に横壁４４がわたされ、前後２領域に分けられている。詳細にはこの横壁４４は、カバー４０の開口縁から、前面枠３１のほぼ奥行寸法分だけ奥に入った位置に形成されており、横壁４４の手前側が前面枠３１並びに断熱材６０の嵌着領域に、奥側が後記する空気室５３の形成領域となっている。  
前側の領域における両側面板４２は相対的に薄肉に形成されて、弾性変形可能となっており、両側面板４２の先端側における対向した面には、それぞれ２条のリブ４５が間隔を開けて形成され、前面枠３１の両側面板３３を弾性的に挟持可能となっている。特に奥側のリブ４５Ａは、前面枠３１の係止突起３４に係止可能となっている。
【００１５】
奥側の領域における両側面板４２は、相対的に厚肉に形成されており、その段差部分が、前面枠３１の開口縁を突き当てるストッパ４７となっている。厚肉部４２Ａ内には、肉抜きを兼ねて空気層４８が形成されている。  
上記した横壁４４には、その前面における幅方向の中央部に、ほぼ半円形をなす凹溝４９が形成されている。  
そして、カバー４０の後面板４１の裏面（内面）において幅方向にほぼ三等分する２位置から、それぞれ横壁４４の後面の端部と凹溝４９とに向けて、都合４枚の傾斜壁５１が形成されており、これによって横壁４４よりも奥側の領域には、三角形断面をなす空気室５３が合計５個左右対称に形成されている。
【００１６】
断熱材６０は、発泡ウレタン等の発泡樹脂等によって、前面枠３１の内部にほぼ緊密に嵌る厚板状に予め成形されている。なお、断熱材６０の上端部には、後記する結露防止用のヒータ、例えばコードヒータ７５のリード線７６を通す２本の挿通孔６１が形成されている。挿通孔６１は、手前側の面の左右２箇所から、奥側の面の中央部に貫通して斜めに形成されている。
【００１７】
また、カバー４０の後面板４１の表面（外面）には、左右両側の２位置に、棚柱６５が取り付けられるようになっている。  
この棚柱６５は、ステンレス鋼板等をプレス成形して形成されており、断面台形で両裾から当て板６６を張り出して設けた縦長形状に形成され、その表面には、棚網７８を支持すべく棚受金（図示せず）を着脱可能に掛止する掛止孔６７が、複数個所定のピッチで開口されている。また、表面の上下両端部には、奥側が窄んだ取付部６８が凹み形成され、底面にリベット孔６９が形成されている。
【００１８】
棚柱６５は、後記するように、カバー４０の後面板４１の裏面（内面）側に配された裏板７１との間に、リベット７０を打ち込むことで固定されるようになっている。この裏板７１は、金属板製であって、カバー４０の全高に等しい長さ寸法を有するとともに、上記した空気室５３のうちの、対称形状をなす両端の空気室５３Ａにおける底面（後面板４１の裏面）側の幅寸法と、ほぼ等しい幅寸法を有している。この裏板７１の上下両端部の所定位置にはリベット孔７２が開口されているとともに、空気室５３Ａの底面にも、リベット７０の挿通孔５５がリベット孔７２と対応して形成されている。  
また、両空気室５３Ａの側面を構成する側面板４２の厚肉部４２Ａには、後面板４１との間で裏板７１を挟むようにして摺動案内可能なレール５６が突設されている。
【００１９】
仕切枠３０は、以下のようにして組み付けられる。  
まず前面枠３１側では、前面板３２の裏面に結露防止用のコードヒータ７５が予め張られる。コードヒータ７５は例えば、前面板３２の裏面における左右の領域のいずれか一方の上端側から下がり、下端部で回曲されて反対側の領域を立ち上がるように配線され、テープ等で貼り付けられる。それとともに、前面板３２の裏面の上端部に位置するコードヒータ７５の両端から、一対のリード線７６が引き出された状態とされる。
【００２０】
一方、カバー４０には、２本の棚柱６５が予め取り付けられる。それには、図３に示すように、カバー４０が作業台等の上に立てられ、続いて裏板７１が、レール５６の内側に嵌められつつ、対応する空気室５３Ａの底面に沿って上方から差し込まれる。裏板７１の下端が作業台に当たるまで差し込まれると、裏板７１の両リベット孔７２が空気室５３Ａの挿通孔５５と整合する。  
裏板７１が装着されたら、棚柱６５が後面板４１の表面に当てられ、上下のリベット孔６９が対応する挿通孔５５と整合される。そして、棚柱６５のリベット孔６９から裏板７１のリベット孔７２にわたってリベット７０が打ち込まれることで、棚柱６５が後面板４１の左右２箇所の所定位置にそれぞれ固定される。
【００２１】
組み付けに当たっては、コードヒータ７５を装着した前面枠３１が、本体１０の前面開口１３の間口の中央部に嵌められ、図５に示すように、上下の取付板３５の挿通孔３７に通したねじ３６を、同前面開口１３の上下の面にねじ込むことで固定される。続いて、前面枠３１の内部に、断熱材６０が庫内側から嵌められる。このとき、コードヒータ７５のリード線７６が断熱材６０の挿通孔６１を通して奥面側に引き出され、２本揃って上側の取付板３５の逃がし凹部３８を通って上方に引き出される。このリード線７６は、詳しくは図示しないが、仕切枠３０の取付位置における本体１０の前面開口１３の上面に形成された孔から、その前面開口１３の上縁部に沿って断熱材内に形成された挿通路を通って機械室２０側に導出され、その中に装備された電装箱の給電部と接続される。
【００２２】
最後に、棚柱６５が取り付けられたカバー４０が、前面枠３１の後面側に対して嵌められる。カバー４０は、その側面板４２の先端のリブ４５が前面枠３１の係止突起３４のガイド面３４Ｂに乗り上げることで、側面板４２が外側に撓み変形しつつ押し込まれ、カバー４０の側面板４２のストッパ４７が、前面枠３１の側面板３３の開口縁に当たったところで押し込みが停止される。そのとき両リブ４５が係止突起３４を通過することで、側面板４２が復元変形し、奥側のリブ４５Ａが係止突起３４の係止面３４Ａに係止し、カバー４０は、両側面板４２の先端のリブ４５が、前面枠３１の側面板３３の基端側を挟んだ状態で、後方へ抜け止めされて取り付けられる。  
ここでカバー４０内の横壁４４は、断熱材６０の奥面に密着して当たっており、断熱材６０の奥面側に突出したリード線７６は、横壁４４に形成された凹溝４９の上端部内を通って、上記したように上方に引き出された状態とされる。
【００２３】
以上にように仕切枠３０が組み付けられると、仕切枠３０は左右の出入口１４の内側の縦縁を構成し、断熱扉１５が閉鎖された場合に、その裏面に嵌着されたパッキン１６が前面枠３１における前面板３２に吸着されて密閉される。一方、冷蔵室１１内では、仕切枠３０の後面並びに冷蔵室１１の壁面に装着された棚柱６５にわたって、棚網７８が張られて使用されるところとなる。
【００２４】
本実施形態の仕切枠３０では、カバー４０内の奥側の領域に形成された空気室５３が断熱室として機能し、その前方に配された断熱材６０と合わせて、仕切枠３０の前後の面間の断熱性が確保される。また前面枠３１の側面板３３は、カバー４０内において奥行方向の途中位置までしか延びておらず、すなわち庫内の冷気から離間しているから、側面板３３を介して前面枠３１の前面板３２が冷却されることが抑えられる。その結果、前面板３２の裏面に設ける結露防止用のコードヒータ７５の容量を小さくでき、省エネルギを図ることができる。また、仕切枠３０内に入れる断熱材６０の量が少なくて済むことから、コスト低減も図ることができる。  
一方、前面枠３１の側面板３３が短くなったことで、前面枠３１の剛性が低下する可能性があるが、カバー４０内の奥側の領域では、複数の空気室５３を形成するべく横壁４４並びに傾斜壁５１が形成されているから、カバー４０側の剛性が高められ、仕切枠３０全体としての強度は確保できる。
【００２５】
カバー４０の後面板４１に棚柱６５を取り付けるに当たって、後面板４１の裏側に裏板７１を配する場合に、裏板７１を所定の空気室５３Ａの底面に沿って差し込むだけで、定位置に案内することができる。棚柱６５の取付作業を能率良く行うことができ、しかも、空気室５３Ａに対して裏板７１を挿入案内する機能を兼備させたから、棚柱６５の取付部分の構造が簡素化される。  
また、カバー４０内の横壁４４に凹溝４９が設けられており、結露防止用のコードヒータ７５のリード線７６を通して無理なく外部に引き出すことができる。その結果リード線７６の損傷等が防止でき、コードヒータ７５を信頼性を持って作動させることができる。
【００２６】
＜変形例１＞
図６は、変形例１に係る仕切枠８０を示し、空気室の形成部分の構造に変更が加えられている。この変形例１では、カバー８１内の奥側の領域において、横壁４４と後面板４１との間に、２枚の真直な縦壁８２が互いに平行に形成され、ほぼ長方形断面をなす空気室８３が合計３個左右対称に形成されている。  
ここで、両端の２個の空気室８３Ａでは、棚柱６５を取り付ける際の裏板７１とほぼ同じ幅に形成されているとともに、空気室８３Ａの左右の側面を構成する側面板４２の厚肉部４２Ａと縦壁８２の対向面には、後面板４１との間で裏板７１を挟むようにして摺動案内可能なレール５６が突設されている。  
その他の構造、並びに作用効果については、上記実施形態１と同様である。
【００２７】
＜変形例２＞
図７は、変形例２に係る仕切枠９０を示している。この変形例２のカバー９１では、上記した変形例１における縦壁に相当する仕切壁９２が、後面板４１の直前の短寸法部分が後面板４１に対して直角で、そののち外側に開く斜め姿勢で横壁４４に達している。それに加えて、後面板４１の幅方向の中央部と横壁４４の凹溝４９との間に、真直な別の縦壁９３が形成され、これによってほぼ三角形断面をなす空気室９４が、合計４個左右対称に形成されている。
【００２８】
両端の２個の空気室９４Ａでは、その底面側が裏板７１とほぼ同じ幅に形成されているとともに、両空気室９４Ａの側面を構成する側面板４２の厚肉部４２Ａに、後面板４１との間で裏板７１を挟むようにして摺動案内可能なレール５６が突設されている。  
その他の構造、並びに作用効果については、上記実施形態１と同様である。変形例１と比べると、空気室９４を形成するべく壁９２，９３の枚数が多い分、カバー９１の剛性がより高められる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、仕切枠を組み付けるに当たり、本体の前面開口に対して前面枠、断熱材及びカバーを順次に組み付ける形式のものを例示したが、仕切枠は予めアッセンブリとして別体に組み付けられ、このアッセンブリを、本体の前面開口にキャッチ等を利用して後から組み付けるようにしたものにも、本発明は同様に適用できる。
【００３０】
（２）また、上記の場合、断熱材は、前面枠とカバーとで外殻を組み付けたのちにその内部で発泡充填するようにしてもよい。  
（３）本発明は、上記実施形態に例示した横型冷蔵庫に限らず、縦型の冷却貯蔵庫や、さらには温蔵庫等、要は貯蔵庫の出入口を仕切る断熱性を備えた仕切枠全般に広く適用することができる。
【図面の簡単な説明】
【００３１】
【図１】本発明の一実施形態に係る冷蔵庫の正面図
【図２】その平断面図
【図３】仕切枠の分解斜視図
【図４】同平断面図
【図５】仕切枠の取付構造を示す部分縦断面図
【図６】変形例１の仕切枠の平断面図
【図７】変形例２の仕切枠の平断面図
【図８】従来例の平断面図
【符号の説明】
【００３２】
３０…仕切枠  ３１…前面枠  ３２…前面板  ３３…側面板  ４０…カバー  ４１…後面板  ４２…側面板  ４４…横壁（仕切壁）  ４９…凹溝  ５１…傾斜壁（仕切壁）  ５３，５３Ａ…空気室  ６０…断熱材  ６５…棚柱  ７０…リベット（締結具）  ７１…裏板  ７６…リード線（電線）  ８０…仕切枠  ８１…カバー  ８２…縦壁（仕切壁）  ８３，８３Ａ…空気室  ９０…仕切枠  ９１…カバー  ９２…仕切壁  ９３…縦壁（仕切壁）  ９４，９４Ａ…空気室
【図１】
2005233504.tif 000003
【図２】
2005233504.tif 000004
【図３】
2005233504.tif 000005
【図４】
2005233504.tif 000006
【図５】
2005233504.tif 000007
【図６】
2005233504.tif 000008
【図７】
2005233504.tif 000009
【図８】
2005233504.tif 000010